(57)【要約】【課題】本発明は余白状態で残っている空気調和室内機の前面カバーに絵や写真等を着脱することができるように構造を改善することで、空気調和機の機能を遂行することと同時に室内インテリア機能も一緒に遂行するようにする空気調和機を提供することを目的にする。【解決手段】本発明による空気調和機は本体、本体の前面に装着されるフロントパネル、フロントパネルの前方に位置されて、アートパネルが入れ替え可能に介入されるアートパネル装着部、が含まれる。【選択図】図２
2006194581.tif 000002
【特許請求の範囲】
【請求項１】
本体内部に装着されて室内空気を吸入する送風ファンと、吸入される室内空気と熱交換する熱交換機とが含まれる空気調和機において、
前記本体の前面に装着されるフロントパネルと、
前記フロントパネルの前方に位置し、絵又は写真等が入れ替え可能に装入されるアートパネル装着部と、を備えた空気調和機。
【請求項２】
前記アートパネル装着部はヒンジ部材によって前記フロントパネルに回動可能に結合されることを特徴とする請求項１に記載の空気調和機。
【請求項３】
前記アートパネル装着部は前記フロントパネルから分離可能なことを特徴とする請求項１に記載の空気調和機。
【請求項４】
前記アートパネル装着部は前記フロントパネルに固定されるようにする着脱部材をさらに備えたことを特徴とする請求項１に記載の空気調和機。
【請求項５】
前記着脱部材はフック又は磁石であることを特徴とする請求項４に記載の空気調和機。
【請求項６】
前記フロントパネルは前記本体から前後方並進運動可能で、前記フロントパネルが前方に引き出されて空気吸入口が形成されることを特徴とする請求項１に記載の空気調和機。
【請求項７】
前記アートパネル装着部は前記フロントパネルから前後方並進運動可能なことを特徴とする請求項１に記載の空気調和機。
【請求項８】
前記アートパネル装着部は前記フロントパネル前面に装着される透明素材のウィンドウを含み、
前記フロントパネル前面と前記ウィンドウの間に絵又は写真等が付着されたアートパネルが挿入されることを特徴とする請求項１に記載の空気調和機。
【請求項９】
前記アートパネル装着部は前面に具備される透明素材のウィンドウと、
少なくとも一側の枠部に所定の長さと幅に形成されるパネル挿入口を含み、
前記パネル挿入口を通じて絵又は写真等が付着したアートパネルが挿入されることを特徴とする請求項１に記載の空気調和機。
【請求項１０】
前記アートパネル装着部は前面に透明素材のウィンドウが具備され、
前記フロントパネルの前面で回転可能なことを特徴とする請求項１に記載の空気調和機。
【請求項１１】
前記アートパネル装着部の一側の端に具備されてアートパネル装着部が前記フロントパネルに回転可能に結合されるようにする回転軸と、
前記アートパネル装着部の他側の端及び前記フロントパネルの前面に具備されて前記アートパネル装着部が固定されるようにする固定部材が含まれることを特徴とする請求項１０に記載の空気調和機。
【請求項１２】
前記アートパネル装着部はウィンドウと、
前記ウィンドウと結合される支持パネルと、
前記支持パネルの背面に具備されて前記フロントパネルに着脱可能にさせるフック部材が含まれて、
前記ウィンドウと前記支持パネルの間に絵又は写真等が付着したアートパネルが挿入されることを特徴とする請求項１に記載の空気調和機。
【請求項１３】
前記アートパネル装着部は前記ウィンドウ及び前記支持パネルの枠部に結合されるサイドフレームが含まれることを特徴とする請求項１２に記載の空気調和機。
【請求項１４】
前記サイドフレームは多数個の部分が結合されて、少なくとも一つが分離可能なことを特徴とする請求項１３に記載の空気調和機。
【請求項１５】
前記アートパネル装着部は、デジタルデータを送るためのケーブル又はポートを具備したＬＣＤパネルが前面部に設けられたことを特徴とする請求項１に記載の空気調和機。
【請求項１６】
前記本体内部に装着される発光部材と、
前記フロントパネルの外郭にかけられて、前記発光部材から発生する光が外部に発散されるようにする透明素材のパネルフレームとをさらに備えたことを特徴とする請求項１に記載の空気調和機。
【請求項１７】
前記アートパネル装着部又は前記フロントパネルの背面に具備される所定の長さのラック部材と、
前記本体内部に装着されて、前記ラック部材と噛み合わされ回転するピニオンと、
前記ピニオンに結合されて回転力を提供する駆動モータが含まれることを特徴とする請求項１に記載の空気調和機。
【請求項１８】
前記アートパネル装着部は前記フロントパネル前面に分離可能に結合される支持パネルと、
前記支持パネルの前面に結合される透明素材のアウトケースと、
前記支持パネルとアウトケースの間に介入されるアートパネルと、
前記アウトケースの背面枠部に移動可能に挿入されて、前記支持パネルが前記アウトケースに結合又は分離するようにする着脱部材が含まれることを特徴とする請求項１に記載の空気調和機。
【請求項１９】
前記着脱部材は把持ホームが具備されるボディーと、
前記ボディーの両側面に段差が形成されるスライド部と、
前記スライド部の端部から所定の長さに延びたアーム及び
前記ボディーの底面に所定の長さに陥没されるガイドホームが含まれることを特徴とする請求項１８に記載の空気調和機。
【請求項２０】
前記アウトケースは背面に所定の長さに突出及び曲折されて前記スライド部が挿入される側面ガイドリブと、
前記側面ガイドリブの間に突出されて前記ガイドホームに挿入されるセンタガイドリブが含まれることを特徴とする請求項１８に記載の空気調和機。
【請求項２１】
前記着脱部材は前記アームの端部に外側に突出されるストッパと、前記アームの端部底面に突出される固定突起をさらに備え、
前記アウトケースは背面に所定間隔を置いて形成されて前記着脱部材の挿入及び引き出し限界を設定する引き出しストッパ及び挿入ストッパと、前記固定突起が挿入される引き出し固定ホーム及び挿入固定ホームが含まれることを特徴とする請求項１８に記載の空気調和機。
【請求項２２】
前記支持パネルの背面に形成されて前記ボディーの一部が挿入される挿入部が含まれることを特徴とする請求項１８に記載の空気調和機。
【請求項２３】
空気調和機において、
本体と、絵又は写真等が付着したアートパネルが前記本体の前面部に入れ替え可能に結合されることを特徴とする空気調和機。
【発明の詳細な説明】
【技術分野】
【０００１】
本発明は空気調和機に係り、より詳細には、空気調和気の室内機前面に絵又は写真等を自由に着脱することができるようにして、空気調和気の機能が遂行されることと同時に室内インテリア効果も一緒に発揮する機能が具備された空気調和機に関するものである。
【背景技術】
【０００２】
一般的に、空気調和機は内部を循環する冷媒が圧縮過程、凝縮過程、膨脹過程及び蒸発過程という冷凍サイクルを遂行する。特に、エアコンの場合、冷媒が高温及び高圧に圧縮された後、凝縮機で熱を外部に放出して、膨脹バルブを通過しながら温度と圧力が著しく低下する。そして、低温及び低圧の冷媒が蒸発機を経過しながら熱を吸収した後、凝縮機に再び入って行く。
【０００３】
ここで、圧縮過程、凝縮過程及び膨脹過程はエアコンの室外機内で遂行されて、蒸発過程は室内機の送風ファンと熱交換機によって遂行される。
【０００４】
又は、エアコンは大きく冷凍サイクル装置が一つの母屋内に装着されて窓等に設置される窓型エアコン、室内機と室外機が分離して市内と室外にそれぞれ設置される分離型エアコンに区分される。
【０００５】
又は、分離型エアコンの場合、設置方法によって壁掛け型、常置型、天井掛け型及び天井埋め込み型等に区分される。
【０００６】
又は、壁掛け型や常置型で使用が可能で、使用者の必要によって天井掛け型でも活用されることができる構造の室内機をコンバータブル型室内機と言う。
【０００７】
一方、空気調和機室内機は室内空気吸入口と吐出口の位置によって多様に分類される。例えば側面で室内空気が吸入されて前面に吐出される室内機の場合前面部に吐出ルーバが設置されて上下又は左右に回転しながら吐出される室内空気が室内にむらなく分散するようにする。
【０００８】
ここで、一般的な空気調和機の室内機は前面部が単純にカバーの機能のみを遂行するように構成される。すなわち、室内機の前面部に装着されるフロントカバー部材は室内機内部に装着される吸入ファン、熱交換機等の部品が外部に露出することを防止する機能と、子供たちが手で触る等により電気的な衝撃を受けることを防止する機能のみを遂行する。従って、室内機前面が外観上単調な感じを与えて、室内雰囲気と調和することができずに硬い感じを与える。
【発明の開示】
【発明が解決しようとする課題】
【０００９】
本発明は前述した問題を解決するために提案されたもので、余白状態で残っている空気調和機室内機の前面カバーに絵や写真等を脱付着することができるように構造を改善することで、空気調和機の機能を遂行することと同時に室内インテリア機能も一緒に遂行するようにする空気調和機を提供することを目的にする。
【課題を解決するための手段】
【００１０】
前述した目的を達成するための本発明による空気調和機は本体と、本体の前面に装着されるフロントパネルと、フロントパネルの前方に位置し、アートパネルが入れ替え可能に装入されるアートパネル装着部と、が含まれる。
【００１１】
又他の側面での本発明による空気調和機はベースと、ベースの前面に結合されるフロントフレームと、フロントフレームの前面に結合されるパネル部材と、パネル部材の内側に着脱可能に介入されるアートパネルと、が含まれる。
【００１２】
又他の側面での本発明による空気調和機はベースと、ベースの前面に結合されるフロントフレームと、フロントフレームの前面に分離可能に結合される支持パネルと、支持パネルの前面に結合される透明素材のアウトケースと、支持パネルとアウトケースの間に介入されるアートパネルと、アウトケースの背面枠部に移動可能に挿入されて、支持パネルがアウトケースに結合又は分離するようにする着脱部材と、が含まれる。
【００１３】
又他の側面での本発明による空気調和機は本体と、絵又は写真等が付着したアートパネルが本体の前面部に入れ替え可能に結合されることを特徴とする。
【発明の効果】
【００１４】
前述した構成を成す本発明による空気調和機によって、空気調和室内機の機能のみを遂行する段階で一歩先んじて、室内機前面に芸術作品や家族写真等を付着するとか自由に入れ替え可能になるようにすることで、室内雰囲気と調和を成す一つの家具機能も一緒に発揮される効果がある。
【００１５】
それに、室内機の前面カバーがＬＣＤのような液晶画面で成り立ってデジタル方式の絵又は写真をダウンロードすることができるようにして周期的に画面が変化されるようにすることもできる。
【発明を実施するための最良の形態】
【００１６】
以下では本発明の具体的な実施例を図面を参照して詳細に説明する。しかし、本発明の思想は提示される実施例に制限されることはなく、又他の構成要素の追加、変更、削除等によって、退歩的な他の発明や本発明の思想の範囲内に含まれる他の実施例を容易に提案することができる。
【００１７】
図１は本発明の第１実施例による空気調和室内機の分解斜視図で、図２は室内機の作動状態を示す外観斜視図である。
【００１８】
図１及び図２を参照すれば、本発明による空気調和室内機（１００）は外観を形成する本体（１１０）と、この本体（１１０）の前面部から所定間隔を置くことを可能に装着されるフロントパネル（１２０）と、このフロントパネル（１２０）の前面部に着脱自在又は回転可能に装着されるフロントカバー（１３０）と、このフロントカバー（１３０）とフロントパネル（１２０）の間に装着される絵又は写真等のようなアートパネル（１６０）が含まれる。そして、フロントパネル（１２０）とフロントカバー（１３０）とはヒンジ（１４０）により結合される。そして、本体（１１０）とフロントパネル（１２０）の間には室内空気が吸入される吸入口（１５０）が形成されて、本体（１１０）の一側面には吸入された室内空気が吐出される吐出口（１５１）が少なくとも一つ以上形成される。そして、フロントカバー（１３０）の一側面にはフロントカバー（１３０）がフロントパネル（１２０）に結合されるようにする着脱部（１３２）が具備される。そして、フロントカバー（１３０）の内側には透明なウィンドウ（１３１）が具備されてアートパネル（１６０）が透視されることと同時にアートパネル（１６０）に異物質が付着することを防止する。
【００１９】
一方、室内機（１００）の本体（１１０）はフロントパネル（１２０）の後側に装着されて吸入される室内空気に含まれた異物質を濾過するフィルタ（１０１）と、このフィルタ（１０１）の後側に設置されてフィルタ（１０１）が装着されて、内部部品を保護するフロントフレーム（１０２）と、フロントフレーム（１０２）と結合されるベース（１０９）と、フロントフレーム（１０２）とベース（１０２）の間に装着されて室内空気を吸入する送風ファン（１０７）が含まれる。
【００２０】
又は、本体（１１０）は送風ファン（１０７）の前方に設置されて吸入される室内空気の温度を低める熱交換機（１０３）と、熱交換機（１０３）の下側に装着されて熱交換機（１０３）の表面に形成される凝縮水が落下されて捕集されるドレーンファン（１０５）と、熱交換機（１０３）の後側に装着されて吸入される室内空気の流れを案内するオリフィス（１０４）と、オリフィス（１０４）の上側に装着されて、各種電気部品が具備される天井部（１０６）と、送風ファン（１０７）によって吸入された室内空気が外部に吐出されるように流れを案内する流路ガイド（１０８）が含まれる。
【００２１】
以下では前述したような構成を有する本発明による空気調和機室内機（１００）の作動及び機能について説明する。
【００２２】
先に、室内機（１００）に電源が印加されれば本体（１１０）の前面部に装着されたフロントパネル（１２０）が本体（１１０）から所定間隔を置きながら吸入口（１５０）が形成される。そして、本体（１１０）内部に装着された送風ファン（１０７）が回転し、送風ファン（１０７）の回転によって吸入口（１５０）を通じて室内空気が吸入される。そして、吸入される室内空気はフィルタ（１０１）を通過しながら不純物が濾過されて、熱交換機（１０３）を通過しながら冷媒と熱交換する。そして、熱交換機（１０３）を通過して温度が落ちた室内空気はオリフィス（１０４）によって送風ファン（１７０）で流れが案内される。そして、送風ファン（１０７）の上側に具備された流路ガイド（１０８）に沿って室内空気が移動して、最終的に吐出口（１５１）を通じて再び室内に吐出される。
【００２３】
一方、前述したように本体（１１０）の前面部に装着されるフロントパネル（１２０）とフロントパネル（１２０）の前面部に装着されるフロントカバー（１３０）は少なくとも一側が着脱可能に結合される。そして、フロントカバー（１３０）はヒンジ（１４０）によってフロントパネル（１２０）に回転可能に結合される。そして、フロントカバー（１３０）の背面一側には着脱部材（１３２）が装着される。
【００２４】
詳細に説明すると、着脱部材（１３２）は磁性を帯びる導体で成り立って、フロントパネル（１２０）は導体と結合される金属性素材で製作されることができる。従って、フロントパネル（１２０）前面にアートパネル（１６０）を挿入するためにはフロントカバー（１３０）の一側を引っぱって、所定角度に回転させる。そして、アートパネル（１６０）をフロントパネル（１２０）前面部に装着されるようにした後フロントカバー（１３０）を閉める。
【００２５】
より詳細に説明すると、フロントカバー（１３０）の背面に付着した磁性を持つ着脱部材（１３２）はフロントパネル（１２０）の前面部に付着して、アートパネル（１６０）が室内機（１００）から離脱しなくなる。ここで、着脱部材（１３２）はアートパネル（１６０）が抜けない程度の十分な磁力を持つようにすることで、使用者がフロントカバー（１３０）を容易に開閉するようにすることが望ましい。
【００２６】
以下では本発明の思想による又他の実施例等を図面と一緒に詳細に説明するようにする。そして、同一構成要素に対しては同じ参照番号が付与されることを明らかにしておく。
【００２７】
図３は本発明の思想による空気調和機室内機の第２実施例を示す外観斜視図である。
【００２８】
図３を参照すれば、本発明による空気調和室内機（１００）の又他の実施例として、フロントカバー（１３０）とフロントパネル（１２０）が結合されるようにするために着脱フック（１３３）が装着されることを特徴とする。
【００２９】
詳細に説明すると、フロントカバー（１３０）の背面に少なくとも一つ以上の着脱フック（１３３）が形成されるようにして、フロントパネル（１２０）の前面部には着脱フック（１３３）が挿入されるためのフック挿入ホーム（１２２）が形成されるようにする。
【００３０】
前述した構成によって、フロントカバー（１３０）を前方で引っぱって着脱フック（１３３）がフック挿入ホーム（１２２）から抜けるようにする。そして、フロントパネル（１２０）の前面に装着されたアートパネル（１６０）を入れ替えた後、フロントカバー（１３０）を閉めて着脱フック（１３３）がフック挿入ホーム（１２２）に挿入されるようにする。ここで、着脱フック（１３３）がフック挿入ホーム（１２２）に完全に挿入されれば”パチッ”という音がして、フロントカバー（１３０）がフロントパネル（１２０）に完全に結合されたかを容易に確認可能であり、フロントカバー（１３０）の結合の信頼性を向上させる長所がある。
【００３１】
一方、フロントカバー（１３０）がフロントパネル（１２０）に結合されるようにする手段は前述した記載で提示された手段等に限定されるものではなく、掛けがね等のような多様な手段が提案可能で、これらは本発明の思想の範囲内に含まれることを明らかにしておく。そして、着脱フック（１３３）とフック挿入ホーム（１２２）の形成位置が変わっても差支えなく、本発明の思想の範囲内に含まれることを明らかにしておく。
【００３２】
図４は本発明の思想による空気調和室内機の第３実施例を示す斜視図で、図５は図４のＩ−Ｉ’に沿った断面図である。
【００３３】
図４及び図５を参照すれば、フロントパネル（１２０）が図２のように一支点をヒンジ軸にして回転する場合以外に、フロントパネル（１２０）後面に前後方に並進運動するスライディング部材（１７０）が連結されるようにできる。言い換えれば、スライディング部材（１７０）の前後方向並進運動によってフロントパネル（１２０）が前後方向に並進運動することで、空気吸入口が形成されるようにする。
【００３４】
詳細に説明すると、スライディング部材（１７０）は本体（１１０）内部で挿入又は本体（１１０）から前方に引き出されて、スライディング部材（１７０）は本体（１１０）内部に装着されたピニオン（１８０）とかみ合って前後並進運動するようになる。
【００３５】
詳細に説明すると、スライディング部材（１７０）は上側又は下側面にギアが形成されるラックで成り立って、ピニオン（１８０）の回転によって前後運動するようになる。そして、ピニオン（１８０）はステップモータによって正回転及び逆回転を遂行するように構成されることができる。ここで、ピニオン（１８０）を駆動するステップモータはスライディング部材（１７０）が形成される位置にそれぞれ形成されることもできて、一つのステップモータによって多数個のピニオン（１８０）が同時に駆動されるようにすることもできるはずである。
【００３６】
第１実施例で提示されたところのように、フロントパネル（１２０）が回転軸を中心に所定角度で回転するように構成された室内機の場合、室内機（１００）が作動する状態ではアートパネル（１６０）が一側に傾くようになって作品を容易に鑑賞することができない短所が発生する。しかし、本実施例で提示されるところのようにフロントパネル（１２０）が直立した状態で前後方に所定間隔で引き出し及び挿入されるようにすることで、フロントパネル（１２０）に装着された絵又は写真等を効果的に鑑賞することができる長所がある。そして、本体（１１０）とフロントパネル（１２０）の間に吸入口（１５０）が形成されるようにすることで、室内空気が室内機（１００）の上下及び左右側面全部に吸入される長所もある。
【００３７】
図６は本発明の思想による空気調和室内機の第４実施例を示す外観斜視図ある。
【００３８】
図６を参照すれば、本発明による空気調和室内機（１００）はフロントカバー（１３０）がフロントパネル（１２０）から前方で所定距離位並進運動することを特徴とする。
【００３９】
詳細に説明すると、フロントパネル（１２０）内部には一側面にギアが形成されるラック（２００）と、このラック（２００）のギアと噛み合って回転するピニオン（２１０）と、ピニオン（２１０）と連結されて回転力を伝逹するステップモータ（２２０）が装着される。そして、ステップモータ（２２０）は正回転及び逆回転可能なことを特徴とする。そして、ラック（２００）はフロントパネル（１２０）の角部位に少なくとも一つ以上装着されて、ラック（２００）の端部にフロントカバー（１３０）が連結される。そして、フロントパネル（１２０）又は本体（１１０）の一側面にステップモータ（２２０）の作動を制御する作動ボタン（未図示）が装着されることができる。
【００４０】
前述したような構成を成す空気調和室内機（１００）の前面部に装着された絵又は写真等が付着したアートパネル（１６０）を入れ替るためには、室内機（１００）の一側面に装着されたステップモータ作動ボタンを押す。それでは、ステップモータ（２２０）が回転しながらピニオン（２１０）が回転するようになって、ピニオン（２１０）とかみ合っているラック（２００）が前方に移動するようになる。従って、ラック（２００）の端部に連結されたフロントカバー（１３０）が前方に所定間隔位前進するようになって、フロントパネル（１２０）から間を置くようになる。そして、フロントパネル（１２０）とフロントカバー（１３０）の間に形成される空間を通じてアートパネル（１６０）を交換した後、ステップモータ作動ボタンを再度押す。これにより、ステップモータ（２２０）は逆回転するようになって、これに伴ってピニオン（２１０）も逆回転するようになる。そして、ラック（２００）はフロントパネル（１２０）内側に挿入されながらフロントカバー（１３０）がフロントパネル（１２０）に密着される。
【００４１】
図７は本発明の思想による空気調和室内機の第５実施例を示す外観斜視図である。
【００４２】
図７を参照すれば、本発明による空気調和機室内機（１００）は透明窓（１３１）が付着したフロントカバー（１３０）がフロントパネル（１２０）と一体で成り立って、アートパネル（１６０）がフロントカバー（１３０）の一側面から挿入されることを特徴にする。
【００４３】
詳細に説明すると、フロントパネル（１２０）は本体（１１０）から所定の角度で回転して吸入口（１５０）が形成されるようにするか、本体（１１０）から前方に並進運動することで吸入口（１５０）が形成されるようにする。そして、フロントカバー（１３０）の両側面枠又は上側面枠に形成されたアートパネル挿入口（１３４）を通じてアートパネル（１６０）が挿入される。
【００４４】
図８は本発明による空気調和室内機の第６実施例を示す外観斜視図である。
【００４５】
図８を参照すれば、本発明による空気調和室内機（１００）は透明窓（１３１）が含まれるフロントカバー（１３０）がフロントパネル（１２０）の一側に固定される軸を中心に回転可能に結合されることを特徴とする。
【００４６】
詳細に説明すると、フロントカバー（１３０）はフロントパネル（１２０）の上側部に形成される回転軸（１３６）に結合されて、アートパネル（１６０）を交換する場合に左側又は右側に回転可能になるように構成される。そして、フロントカバー（１３０）は回転軸（１３６）を中心に３６０度回転可能に結合されて、下端部にはフロントパネル（１２０）に固定されるようにする掛けがね（１３５）が形成されるようにする。
【００４７】
そして、フロントパネル（１２０）の前面部には掛けがね（１３５）と結合されてフロントカバー（１３０）が搖れないようにするための止めがね（１２３）が形成される。
【００４８】
前述したような構成によって、使用者はフロントカバー（１３０）を回転させた後、フロントパネル（１２０）前面部に装着されたアートパネル（１６０）を交換し、そして、アートパネル（１６０）を交換した後フロントカバー（１３０）を再び逆方向に回転して、掛けがね（１３５）が止めがね（１２３）に掛かるようにする。ここで、回転軸（１３６）はフロントパネル（１２０）の上側部又は側面部に形成可能である。望ましくは回転軸（１３６）がフロントパネル（１２０）の側面に形成されて、止めがね（１２３）が回転軸（１３６）の向かい側に形成されて、曲折部位が上側を向くようにする。それでは、フロントカバー（１３０）の自重によって掛けがね（１３５）は止めがね（１２３）の上端部から下端方向に下降しながら掛かるようになる。従って、フロントカバー（１３０）がフロントパネル（１２０）から離れる現象が発生しなくなる。
【００４９】
図９は本発明の思想による空気調和室内機の第７実施例を外観斜視図である。
【００５０】
図９を参照すれば、本発明による空気調和室内機（１００）はフロントカバー（１３０）がフロントパネル（１２０）から完全に分離可能にさせることを特徴とする。
【００５１】
詳細に説明すると、フロントカバー（１３０）は磁性を帯びるマグネット（１３７）が背面内側又は外側表面に装着されるようにして、フロントパネル（１２０）又マグネット（１３７）と引力を発生させる。又他のマグネット（１２４）が前面内側又は外側表面に装着されるようにする。従って、アートパネル（１６０）を入れ替るためには使用者がフロントカバー（１３０）とフロントパネル（１２０）の間に作用する磁力以上の力で引張りフロントカバー（１３０）とフロントパネル（１２０）を分離させる。そして、アートパネル（１６０）を交換した後、又フロントカバー（１３０）がフロントパネル（１２０）前面に付着するようにする。
【００５２】
図１０は本発明の思想による空気調和室内機の第８実施例を示す分解斜視図で、図１１は実施例によるパネル部材の分解斜視図である。
【００５３】
図１０及び図１１を参照すれば、本発明による空気調和室内機（１００）は本体（１１０）と、本体の前面に装着されるパネルフレーム（３１０）と、パネルフレーム（３１０）の内側に具備されるフロントパネル（３２０）と、フロントパネル（３２０）の前面に脱着可能に装着されるフロントカバー（３３０）と、フロントカバー（３３０）内側に挿入されるアートパネル（１６０）とを含む。
【００５４】
本実施例で提示される室内機（１００）は第７実施例のように本体（１１０）からアートパネル（１６０）が結合されたフロントカバー（３３０）が完全に脱去可能にさせることを特徴とする。しかし着脱方式において第７実施例と差がある。
【００５５】
詳細に説明すると、室内機（１００）はフロントパネル（３３０）が額縁形式になって本体（１１０）から完全に脱去した後に、アートパネル（１６０）を変えて挟むことができるようにすることを特徴とする。
【００５６】
又は、フロントカバー（３３０）はアートパネル（１６０）の前面部に装着される透明素材のウィンドウ（３３１）と、ウィンドウ（３３１）の後面に結合されて前面にアートパネル（１６０）が装着されるようにする支持フレーム（３３２）及び支持フレーム（３３２）とウィンドウ（３３１）が一体に結合されるようにするために枠部に結合されるサイドフレーム（３３３）が含まれる。そして、支持フレーム（３３２）とウィンドウ（３３１）の間にはアートパネル（１６０）が挿入されることができるほどの間隔が形成されるようにする。そして、サイドフレーム（３３３）は少なくとも一つ以上が分離可能になるように構成されて、アートパネル（１６０）を交換できるように構成される。望ましくはフロントカバー（３３０）の上側に結合されるサイドフレーム（３３３）が分離可能にしてアートパネル（１６０）を上側で抜いて挟むようにすることで、サイドフレーム（３３３）が本体（１１０）から自重によって分離することを防止することができる。そして、サイドフレーム（３３３）の内側には所定の幅と深みを持つホームが形成されるようにして、ホーム内部でウィンドウ（３３１）と支持パネル（３３２）及びアートパネル（１６０）の枠部が所定の深さ位挿入されるようにする。そして、ホームの幅はウィンドウ（３３１）と支持パネル（３３２）及びアートパネル（１６０）がサイドフレーム（３３３）に強く密着されるようにする位の幅に形成されるようにする。従って、アートパネル（１６０）がウィンドウ（３３１）と支持パネル（３３２）の間で揺動することを防止することができる。
【００５７】
一方、フロントパネル（３２０）は第１実施例及び第２実施例で説明したところのようにヒンジによって回転することで一側が開口されるようにするとか、前方にスライディングされる方式によって吸入口が形成されるようにできる。そして、フロントカバー（３３０）の支持パネル（３３２）背面には少なくとも一つ以上の着脱取手（３３４）が具備されて、フロントパネル（３２０）の前面には着脱取手（３３４）が挟まれるようにする着脱ホール（３２１）が形成されるようにする。従って、着脱取手（３３４）が着脱ホール（３２１）に挿入されてフロントカバー（３３０）がフロントパネル（３２０）に堅固に結合されるようにする。そして、フロントカバー（３３０）とフロントパネル（３２０）を結合する手段として着脱取手（３３４）外にフック方式によって同一な目的を果たすこともできる。そして、支持パネル（３３２）の背面及びフロントパネル（３２０）の前面枠部に磁力を持つマグネットが帯形状に形成されるようにして、フロントカバー（３３０）が引力によってフロントパネル（３２０）に結合されるようにすることもできる。
【００５８】
図１２は本発明の思想による空気調和室内機の第９実施例を示す分解斜視図で、図１３は室内機に装着されるフロントカバーを示す分解斜視図である。
【００５９】
図１２及び図１３を参照すれば、本発明による空気調和機の室内機（１００）は本体（１１０）と、この本体の前面に装着されるパネルフレーム（１９０）と、このパネルフレーム（１９０）の前面部に装着されて所定の角度で回転又は前後方に並進運動可能なフロントパネル（４２０）と、このフロントパネル（４２０）の前面部に結合されるフロントカバー（４３０）が含まれる。
【００６０】
より詳細に説明すると、フロントカバー（４３０）透明素材のアウトケース（４３１）と、アウトケース（４３１）の背面に結合される支持パネル（４３２）が含まれる。そして、アウトケース（４３１）と支持パネル（４３２）の間にはアートパネル（１６０）が挿入される。従って、アートパネル（１６０）はアウトケース（４３１）によって保護されることと同時にアートパネル（１６０）の内容、すなわち絵又は写真を使用者等が鑑賞するように提供される。
【００６１】
一方、支持パネル（４３２）の背面には支持パネル（４３２）がアウトケース（４３１）と堅固に結合されるようにするために着脱部材（４３４）が少なくとも一つ以上形成される。詳細に説明すると、着脱部材（４３４）は中心方向及び枠方向に直線運動可能に装着される。そして、着脱部材（４３４）を中心方向に押せば支持パネル（４３２）がアウトケース（４３１）から分離して、アートパネル（１６０）を挟んだ後着脱部材（４３４）を枠方向に押せば支持パネル（４３２）がアウトケース（４３１）と結合される。しかし、アウトケース（４３１）と支持パネル（４３２）を結合するための手段は本発明の実施例に制限されない。そして、従来の額縁背面に適用される回転取手又はフック等のように多様な方式が適用可能で、提案可能な締結手段は本発明の思想の範囲内に属することを明らかにしておく。
【００６２】
又は、支持パネル（４３２）の背面にはフロントカバー（４３０）がフロントパネル（４２０）に結合されるようにするための掛けがね（４３３）が枠部に形成される。そして、フロントパネル（４２０）の前面には掛けがね（４３３）が挟まれて回転可能にさせる止めがね（４２１）が形成される。そして、支持パネル（４３２）の背面には掛けがね（４３３）が形成された部位の向かい側枠部にマグネット（４３５）及びフック（４３６）のような締結手段が具備される。そして、フロントパネル（４２０）の前面部にはマグネット（４３５）と相互引力が発生されるようにする又他のマグネット部材が装着されて、フック（４３６）が挿入されて掛かるようにするフック挿入ホーム（未図示）が形成される。詳細に説明するとマグネット（４３５）及びフック（４３６）が装着されることで、フロントカバー（４３０）がフロントパネル（４２０）に堅く密着される。そして、フロントカバー（４３０）は止めがね（４２１）を回転軸にして回転可能になり、掛けがね（４３３）が止めがね（４２１）から完全に分離するようにしてフロントカバー（４３０）がフロントパネル（４２０）から分離可能になる。この場合も言及された実施例と同じくフロントパネル（４２０）とフロントカバー（４３０）が結合されるようにする手段が本発明の実施例に制限されることなく多様な手段として提案可能なことは本発明の思想から明白である。
【００６３】
又、本実施例でも前述したようにフロントパネル（４２０）がヒンジを軸にして回転するとか前方に並進運動することで吸入口が形成される。従って、フロントパネル（４２０）の搖動方式に対する付加的な説明は略する事にする。
【００６４】
一方、本発明による室内機（１００）は前面部外郭枠にパネルフレーム（１９０）が別に装着されて、パネルフレーム（１９０）は透明素材に製作されることができる。そして、パネルフレーム（１９０）又は本体（１１０）内部に発光部材が設置されて、発光部材から発散される光がパネルフレーム（１９０）を透過するように構成されることができる。従って、室内機（１００）の枠部で光が発散されるようにすることで、室内雰囲気がより一層高級で安楽な感じを与えるようになる。そして、パネルフレーム（１９０）を通じて透過される光がアートパネル（１６０）の方に分散して、絵又は写真がより引き立って雰囲気あるように見えるようにする効果がある。そして、パネルフレーム（１９０）は夜光素材に製作されて、本体（１１０）内部に別途の発光部材を設置しないとしても光を発散するようにすることもできる。そして、パネルフレーム（１９０）は本体から着脱及び入れ替えが可能になるように形成することが可能である。
【００６５】
図１４は第９実施例の着脱部材の具体的な実施例を示すフロントカバー分解斜視図である。
【００６６】
図１４を参照すれば、フロントカバー（６００）は透明素材のアウトケース（６２０）と、アウトケース（６２０）の背面に結合される支持パネル（６１０）と、アウトケース（６２０）と支持パネル（６１０）の間に挿入されるアートパネル（６３０）と、アウトケース（６２０）の側面枠部に移動可能に挿入される着脱部材（６４０）が含まれる。
【００６７】
より詳細に説明すると、着脱部材（６４０）は支持パネル（６１０）とアウトケース（６２０）が安定的に結合されることができるように相互対向になる部位に少なくとも二つ以上が装着されることが望ましい。
【００６８】
一方、支持パネル（６１０）の枠部には着脱部材（６４０）が挿入されるようにする挿入部（６１２）と、この挿入部（６１２）の下側に形成されて、着脱部材（６４０）が挿入される限界を設定する限界設定リブ（６１３）が含まれる。詳細に説明すると、限界設定リブ（６１３）は挿入部（６１２）の上部面から所定間隔に置かれて形成され、着脱部材のボディー（６４６：図１５参照）の一部が離隔空間内部に挿入されるようにする。
【００６９】
又は、アウトケース（６２０）の背面枠部には着脱部材（６４０）の両側枠部を支持する側面ガイドリブ（６２１）と、着脱部材（６４０）の中央部分に形成されるガイドホーム（６４５）に挿入されるセンタガイドリブ（６２２）が形成される。
【００７０】
詳細に説明すると、着脱部材（６４０）が側面ガイドリブ（６２１）及びセンタガイドリブ（６２２）によってガイドされることで、前後方向運動が安定的に成り立つ。
【００７１】
又は、アウトケース（６２０）の背面枠部には着脱部材（６４０）の挿入限界を設定する挿入ストッパ（６２３）と、着脱部材（６４０）の引き出し限界を設定する引き出しストッパ（６２４）が形成される。そして、挿入ストッパ（６２３）と引き出しストッパ（６２４）は側面ガイドリブ（６２１）の端部から所定間隔に置かれた所に形成される。そして、挿入ストッパ（６２３）と引き出しストッパ（６２４）は同一線上に一定間隔に置かれて形成される。
【００７２】
又は、アウトケース（６２０）の背面には着脱部材（６４０）がアウトケース（６２０）の挿入部（６１２）に完全に挿入された状態で固定されるようにする挿入固定ホーム（６２５）と、着脱部材（６４０）がアウトケース（６１２）から引き出された状態で固定されるようにする引き出し固定ホーム（６２６）が含まれる。そして、挿入固定ホーム（６２５）と引き出し固定ホーム（６２６）は挿入ストッパ（６２３）と引き出しストッパ（６２４）から直ぐ近い距離に形成される。
【００７３】
図１５は本発明の思想による着脱部材の前面斜視図で、図１６は着脱部材の背面斜視図である。
【００７４】
図１５及び図１６を参照すれば、本発明による着脱部材（６４０）はアウトケース（６２０）の背面に形成されたガイドリブ（６２１、６２２）によってガイドされて、支持パネル（６１０）の背面に形成された挿入部（６１２）内部に挿入される。
【００７５】
詳細に説明すると、着脱部材（６４０）はアウトケース（６２０）が支持パネル（６１０）に固定されるようにするための装置として、一部分が支持パネル（６１０）の挿入部（６１２）に挿入されるボディー（６４６）と、両側面に段差が形成されるスライド部（６４４）と、このスライド部（６４４）から所定の長さで延ばされて所定の弾性流動をするアーム（６４１）と、ボディー（６４６）の対面に形成されて使用者が把持することができるようにする把持ホーム（６４７）と、ボディー（６４６）の底面に所定の深さと長さに形成されるガイドホーム（６４５）が含まれる。
【００７６】
より詳細に説明すると、アーム（６４１）の端部側面にはストッパ（６４２）が突出形成される。そして、ストッパ（６４２）はアウトケース（６２０）の挿入ストッパ（６２３）及び引き出しストッパ（６２４）の間を運動して、着脱部材（６４０）の挿入及び引き出し限界を設定するように機能する。
【００７７】
又は、アーム（６４１）の端部底面には固定突起（６４３）が形成されて、アウトケース（６２０）に形成された挿入固定ホーム（６２５）又は引き出し固定ホーム（６２６）に挿入される。すなわち、固定突起（６４３）が挿入固定ホーム（６２５）又は引き出し固定ホーム（６２６）に挿入されて、着脱部材（６４０）が自然に抜ける現象が防止される。
【００７８】
又は、着脱部材（６４０）の背面中央に所定の長さに形成されるガイドホーム（６４５）はボディー（６４６）の底面に所定の長さに突出される二つのリブの間に形成される。そして、ガイドホーム（６４５）にはアウトケース（６２０）のセンタガイドリブ（６２２）が挿入されて、着脱部材（６４０）の並進運動がガイドされる。
【００７９】
又は、ガイドホーム（６４５）の端部にはガイドホーム（６４５）と直交される方向、すなわちボディー（６４６）の一側面で他の側面に至る長さで突出される限界設定リブ（６４８）が形成される。
【００８０】
図１７は本発明による支持パネルとアウトケースが結合された状態での着脱部材の位置を示す図面で、図１８はアウトケースが支持パネルから分離可能な状態での着脱部材の位置を示す図面で、図１９は着脱部材によってアウトケースと支持パネルが結合される過程を示す図面である。
【００８１】
図１７乃至図１９を参照すれば、着脱部材（６４０）の両側面に段差になるスライド部（６４４）はアウトケース（６２０）の側面ガイドリブ（６２１）下側に挿入される。これと同時に、センタガイドリブ（６２２）は着脱部材（６４０）のガイドホーム（６４５）に挿入される。
【００８２】
詳細に説明すると、アウトケース（６２０）と支持パネル（６１０）を結合するために使用者は着脱部材（６４０）をアウトケース（６２０）の背面中心方向に押し入れる。そして、使用者が着脱部材（６４０）をアウトケース（６２０）の内側に押し入れれば、着脱部材（６４０）に形成されるスライド部（６４４）は側面ガイドリブ（６２１）によってガイドされて、センタガイドリブ（６２２）はガイドホーム（６４５）によってガイドされる。そして、使用者が把持ホーム（６４７）を押しながら着脱部材（６４０）をアウトケース（６２０）の中心方向に押し入れれば、アーム（６４１）の外側端部に突出されたストッパ（６４２）が引き出しストッパ（６２４）と接触するようになる。この時、アーム（６４１）は所定の弾性力を持つのでボディー（６４６）の内側に若干曲がりながら引き出しストッパ（６２４）を通過するようになる。そして、ストッパ（６４２）は引き出しストッパ（６２４）と挿入ストッパ（６２３）の間に位置される。
【００８３】
この状態で、使用者がボディー（６４６）をより押し入れればボディー（６４６）の一部が支持パネル（６１０）の挿入部（６１２）内部に挿入される。そして、ボディー（６４６）はストッパ（６４２）が挿入ストッパ（６２３）に接触されて、着脱部材（６４０）の底面に突出される限界設定リブ（６４８）が支持パネル（６１０）の限界設定リブ（６１３）に接触されるまで挿入部（６１２）内部に挿入される。
【００８４】
又は、着脱部材（６４０）が最大に挿入されれば、アーム（６４１）の端部底面に突出された固定突起（６４３）は挿入固定ホーム（６２５）に挿入される。従って、着脱部材（６４０）が挿入部（６１２）内部に完全に挿入された状態では自然に挿入部（６１２）外に抜けなくなる。
【００８５】
一方、アウトケース（６２０）と支持パネル（６１０）を分離させるために使用者は着脱部材（６４０）をアウトケース（６２０）の外側に引っぱる。そして、着脱部材（６４０）をアウトケース（６２０）の外側に引っぱれば、固定突起（６４３）は挿入固定ホーム（６２５）から脱去される。そして、着脱部材（６４０）に形成されるスライド部（６４４）とガイドホーム（６４５）はアウトケース（６２０）に形成される側面ガイドリブ（６２１）とセンタガイドリブ（６２２）によってガイドされる。
【００８６】
詳細に説明すると、着脱部材（６４０）に形成されるストッパ（６４１）が引き出しストッパ（６２４）に接触されて、固定突起（６４３）が引き出し固定ホーム（６２６）に挿入されるまで着脱部材（６４０）が引き出されればアウトケース（６２０）と支持パネル（６１０）は分離可能になる。そして、使用者が過度に着脱部材（６４０）を引っぱっても着脱部材（６４０）は引き出しストッパ（６２４）と引き出し固定ホーム（６２６）によってアウトケース（６２０）から脱去されない。
【００８７】
図２０は本発明の思想による空気調和機の室内機を示す第１０実施例である。
【００８８】
図２０を参照すれば、本発明による空気調和機の室内機（１００）は本体（１１０）前面にＬＣＤ、ＰＤＰ、ＯＬＥＤ等のような液晶画面が装着されるようにして、液晶画面の一側にデジタル情報を送るケーブルが連結されるようにして多様な種類の絵又は写真が映されるようにすることを特徴にする。
【００８９】
詳細に説明すると、本発明による空気調和室内機（１００）は本体（１１０）と、この本体（１１０）の前面部に装着されるパネル部材（５００）と、このパネル部材（５００）の一側に連結されてデジタルデータを送るケーブル（５１０）が含まれる。
【００９０】
より詳細に説明すると、パネル部材（５００）は実施例等で提示されたところのように、本体（１１０）から前後方で並進運動可能に組み立てられるとか、ヒンジを軸にして所定角度位回転して吸気口が形成されるようにできる。そして、背面に吸入される室内機の場合パネル部材（５００）は本体（１００）に固定装着されることもできる。そして、パネル部材（５００）に連結されるケーブル（５１０）はインターネットと連結されるコンピュータ又は多様な絵又は写真が保存されたメモリチップに連結されることができる。前述したように、パネル部材（５００）自体が一つの液晶モニタに構成されて、メモリチップ又はコンピュータと連結されることで、絵や写真をいつも変えて挟む必要なしに多様な種類の作品が室内機（１００）の前面部に表示される長所がある。そして、パネル部材（５００）に装着されるメモリチップをアップグレードすることで、殆ど無限大に近い作品等を展示する効果をもたらすようになる。そして、液晶モニタに一定な時間間隔でそれぞれ異なる種類の絵や写真が規則的に変わるようにすることで、使用者は空気調和室内機の機能のみならず室内インテリア効果を同時に効果的に享受することができる長所がある。
【図面の簡単な説明】
【００９１】
【図１】本発明の第１実施例による空気調和室内機の分解斜視図。
【図２】室内機の作動状態を示す外観斜視図。
【図３】本発明の思想による空気調和室内機の第２実施例を示す外観斜視図。
【図４】本発明の思想による空気調和室内機の第３実施例を示す斜視図。
【図５】図４のＩ−Ｉ’に沿った断面図。
【図６】本発明の思想による空気調和室内機の第４実施例を示す外観斜視図。
【図７】本発明の思想による空気調和室内機の第５実施例を示す外観斜視図。
【図８】本発明による空気調和室内機の第６実施例を示す外観斜視図。
【図９】本発明の思想による空気調和室内機の第７実施例を示す外観斜視図。
【図１０】本発明の思想による空気調和室内機の第８実施例を示す外観斜視図。
【図１１】実施例によるパネル部材の分解斜視図。
【図１２】本発明の思想による空気調和室内機の第９実施例を示す外観斜視図。
【図１３】室内機に装着されるフロントカバーを示す外観斜視図。
【図１４】第９実施例の着脱部材の具体的な実施例を示すフロントカバー分解斜視図。
【図１５】本発明の思想による着脱部材の前面斜視図。
【図１６】着脱部材の背面斜視図。
【図１７】本発明による支持パネルとアウトケースが結合された状態での着脱部材の位置を示す図面。
【図１８】アウトケースが支持パネルから分離可能な状態での着脱部材の位置を示す図面。
【図１９】着脱部材によってアウトケースと支持パネルが結合される過程を示す図面。
【図２０】本発明の思想による空気調和室内機を示す第１０実施例。
【符号の説明】
【００９２】
１００  室内機
１１０  本体
１２０  フロントパネル
１３０  フロントカバー
１４０  ヒンジ
１５０  吸入口
１６０  アートパネル
１７０  スライディング部材
【図１】
2006194581.tif 000003
【図２】
2006194581.tif 000004
【図３】
2006194581.tif 000005
【図４】
2006194581.tif 000006
【図５】
2006194581.tif 000007
【図６】
2006194581.tif 000008
【図７】
2006194581.tif 000009
【図８】
2006194581.tif 000010
【図９】
2006194581.tif 000011
【図１０】
2006194581.tif 000012
【図１１】
2006194581.tif 000013
【図１２】
2006194581.tif 000014
【図１３】
2006194581.tif 000015
【図１４】
2006194581.tif 000016
【図１５】
2006194581.tif 000017
【図１６】
2006194581.tif 000018
【図１７】
2006194581.tif 000019
【図１８】
2006194581.tif 000020
【図１９】
2006194581.tif 000021
【図２０】
2006194581.tif 000022